(57)【要約】【課題】光パワーメータにおいて、トリガ条件を満たす測定データと解析に必要な前後の測定データを、格納容量を増やさずとも取得できるようにする。【解決手段】受光した光のパワーを測定する光パワー測定部と、測定された光パワーを測定データとしてリングバッファ形式で格納するデータ管理部と、光パワーの測定データに対する条件であるトリガ条件、および、格納される測定データ群におけるトリガ条件を満たす測定データの位置を示すトリガ位置の設定を受け付けるトリガ管理部と、トリガ条件を満たす測定データが、リングバッファにおいてトリガ位置に格納されたことを検出すると、前記リングバッファの更新を停止させるトリガ制御部と、を備えた光パワーメータ。【選択図】図１
2019113436.tif 000002
【特許請求の範囲】
【請求項１】
受光した光のパワーを測定する光パワー測定部と、
測定された光パワーを測定データとしてリングバッファ形式で格納するデータ管理部と、
光パワーの測定データに対する条件であるトリガ条件、および、格納される測定データ群におけるトリガ条件を満たす測定データの位置を示すトリガ位置の設定を受け付けるトリガ管理部と、
トリガ条件を満たす測定データが、前記リングバッファにおいてトリガ位置に格納されたことを検出すると、前記リングバッファの更新を停止させるトリガ制御部と、
を備えたことを特徴とする光パワーメータ。
【請求項２】
前記トリガ制御部は、
測定データが前記データ管理部に格納される毎に前記リングバッファを参照し、前記トリガ条件を満たす測定データが前記トリガ位置に格納されているかを判定することを特徴とする請求項１に記載の光パワーメータ。
【請求項３】
前記トリガ制御部は、
前記トリガ条件を満たす測定データが前記データ管理部に格納されると、以降の測定データの格納毎に、前記トリガ条件を満たす測定データが前記トリガ位置まで移動したかを判定することを特徴とする請求項１に記載の光パワーメータ。
【請求項４】
ＦＦＴ演算部をさらに備え、
前記ＦＦＴ演算部は、受光した光がＣＨＯＰ光の場合に、前記光パワー測定部の測定結果を所定のフレームでフーリエ変換し、前記ＣＨＯＰ光の変調に用いられている周波数成分を抽出し、測定データとして前記データ管理部に格納させることを特徴とする請求項１〜３のいずれか１項に記載の光パワーメータ。
【発明の詳細な説明】
【技術分野】
【０００１】
本発明は、光パワーメータに関し、特に、トリガ機能を備えた光パワーメータに関する。
【背景技術】
【０００２】
光パワーメータは、光ファイバ等を介して被測定光を受光し、光パワーを測定する装置である。ここで、光パワーは、デバイスや伝送路の光出力、損失、反射などの特性を評価する際等に測定される物理量であり、単位としてＷ、または、１ｍＷを基準とした対数表示のｄＢｍが使用される。
【０００３】
図９は、従来の光パワーメータ５００の機能構成を示すブロック図である。本図に示すように、光パワーメータ５００は、被測定光を受光する受光部５１０、受光した光のパワーを測定する光パワー測定部５２０、測定された光パワーを測定データとして格納するデータ管理部５３０、外部機器５６０と通信を行なう通信部５４０を備えている。
【０００４】
外部機器５６０は、光パワーメータ５００から測定データを取得し、光パワーの変化等を解析する装置であり、解析用のソフトウェアをインストールしたＰＣ等で構成することができる。
【先行技術文献】
【特許文献】
【０００５】
【特許文献１】特開２０１２−７８２８１号公報
【発明の概要】
【発明が解決しようとする課題】
【０００６】
従来、光パワーメータ５００では、単発的に光パワーの測定を行なう使用方法が主であり、測定データを連続的に取得し、時系列で解析することは一般的ではなかった。このため、データ管理部５３０は、測定データの一時的な格納を目的としており、測定データの蓄積や解析は測定終了後に外部機器５６０に測定データを送信して、外部機器５６０側で行なうようになっている。
【０００７】
また、可搬性やコスト等の観点から、データ管理部５３０のデータ格納領域は容量に制約が設けられており、リングバッファ構造を採用している。すなわち、古いデータから順に新しいデータに上書きされる。
【０００８】
近年の光通信の普及等から光パワーメータ５００における測定データの時系列解析の重要度が高まっており、特に、所定のトリガ条件を満たす測定データの前後の測定データ群の解析が重視される。
【０００９】
しかしながら、光パワーメータ５００で連続的に所定期間の計測を行なって、測定終了後に外部機器５６０に測定データを送信する場合、測定期間中にトリガ条件を満たした測定データが発生したとしても、送信される測定データ群にトリガ条件を満たす測定データが含まれているという保証がない。
【００１０】
例えば、トリガ条件を満たす測定データが古いデータに上書きされている場合が起こり得る。また、トリガ条件を満たす測定データが含まれていたとしても、解析に必要な前後の測定データが十分に取得できていない場合も起こり得る。
【００１１】
データ管理部５３０の格納容量を増やすことで、トリガ条件を満たす測定データと解析に必要な前後の測定データを取得できる可能性が高まるが、光パワーメータ５００の可搬性が損なわれたり、コスト増を招くことになる。
【００１２】
そこで、本発明は、光パワーメータにおいて、トリガ条件を満たす測定データと解析に必要な前後の測定データを、格納容量を増やさずとも取得できるようにすることを目的とする。
【課題を解決するための手段】
【００１３】
上記課題を解決するため、本発明の一態様である光パワーメータは、受光した光のパワーを測定する光パワー測定部と、測定された光パワーを測定データとしてリングバッファ形式で格納するデータ管理部と、光パワーの測定データに対する条件であるトリガ条件、および、格納される測定データ群におけるトリガ条件を満たす測定データの位置を示すトリガ位置の設定を受け付けるトリガ管理部と、トリガ条件を満たす測定データが、前記リングバッファにおいてトリガ位置に格納されたことを検出すると、前記リングバッファの更新を停止させるトリガ制御部と、を備えたことを特徴とする。
ここで、前記トリガ制御部は、測定データが前記データ管理部に格納される毎に前記リングバッファを参照し、前記トリガ条件を満たす測定データが前記トリガ位置に格納されているかを判定することができる。
また、前記トリガ制御部は、前記トリガ条件を満たす測定データが前記データ管理部に格納されると、以降の測定データの格納毎に、前記トリガ条件を満たす測定データが前記トリガ位置まで移動したかを判定することができる。
また、ＦＦＴ演算部をさらに備え、前記ＦＦＴ演算部は、受光した光がＣＨＯＰ光の場合に、前記光パワー測定部の測定結果を所定のフレームでフーリエ変換し、前記ＣＨＯＰ光の変調に用いられている周波数成分を抽出し、測定データとして前記データ管理部に格納させてもよい。
【発明の効果】
【００１４】
本発明によれば、光パワーメータにおいて、トリガ条件を満たす測定データと解析に必要な前後の測定データを、格納容量を増やさずともできるようになる。
【図面の簡単な説明】
【００１５】
【図１】本実施形態に係る光パワーメータの機能構成を示すブロック図である。
【図２】トリガ位置の設定例を説明する図である。
【図３】トリガ制御部の第１の動作例について説明するフローチャートである。
【図４】トリガ条件とトリガ位置の判定を説明する図である。
【図５】本実施形態の光パワーメータで得られる測定データ群を説明する図である。
【図６】トリガ制御部の第２の動作例について説明するフローチャートである。
【図７】変形例に係る光パワーメータの機能構成を説明するブロック図である。
【図８】ＣＨＯＰ光の光パワー測定処理を説明する図である。
【図９】従来の光パワーメータの機能構成を示すブロック図である。
【発明を実施するための形態】
【００１６】
本発明の実施の形態について図面を参照して説明する。図１は、本実施形態に係る光パワーメータ１００の機能構成を示すブロック図である。本図に示すように、光パワーメータ１００は、被測定光を受光する受光部１１０、受光した光のパワーを測定する光パワー測定部１２０、測定された光パワーを測定データとしてリングバッファ形式で格納するデータ管理部１３０、外部機器２００と通信を行なう通信部１４０、トリガ管理部１５０、トリガ制御部１６０を備えている。
【００１７】
外部機器２００は、光パワーメータ１００から測定データを取得し、光パワーの変化等を解析する装置であり、解析用のソフトウェアをインストールしたＰＣ等で構成することができる。
【００１８】
トリガ管理部１５０は、操作者からトリガ条件とトリガ位置の設定を受け付ける。トリガ条件とトリガ位置の設定は、例えば、光パワーメータ１００が備えるボタン等を介して受け付けることができる。また、外部機器２００を介して受け付けてもよい。
【００１９】
トリガ条件は、光パワーの測定データに対する条件であり、種々の条件を設定することができる。トリガ条件を満たす測定データおよび前後の測定データが最終的な格納対象データ群となる。ここで、前後の測定データは、トリガ条件を満たす測定データの前の測定データ群およびトリガ条件を満たす測定データの後の測定データ群の少なくとも一方を意味しており、操作者から受け付ける設定に基づく。
【００２０】
トリガ条件は、例えば、指定された閾値以上、指定された閾値以下とすることができる。また、閾値以下から閾値以上に遷移、閾値以上から閾値以下に遷移とすることができる。さらには、測定データ波形の立ち上がり、立ち下がり、変化率が基準値以上としたり、測定データ波形が特定のパターンを描く等としてもよい。
【００２１】
ここで、トリガ条件を満たした測定データをトリガデータと称する。また、トリガデータより前の（古い）測定データを前データと称し、トリガデータより後の（新しい）測定データを後データと称する。
【００２２】
トリガ位置は、格納される測定データ群における、トリガデータの位置を示す情報である。例えば、図２（ａ）に示すように、トリガデータの位置を、リングバッファのサイズで決まる格納測定データ全体に対する比率で設定することができる。本図の例は、古い方から３０％の位置にトリガデータを格納する設定である。この場合、前データの個数と後データの個数との比率は概ね３：７となる。
【００２３】
また、図２（ｂ）に示すように、トリガデータの位置を、先頭からトリガデータまでの順番で設定してもよい。本図の例は、古い方から８０００個目の位置にトリガデータを格納する設定である。もちろん後端からの順番で設定してもよいし、前データあるいは後データの個数で設定してもよい。
【００２４】
また、図２（ｃ）に示すように、トリガデータの位置を、文言で設定してもよい。本図の例は、格納測定データ全体の中央の位置にトリガデータを格納する設定である。文言は、先頭、終端、前半、後半等とすることができる。ただし、トリガ位置の設定は上記の例に限られない。
【００２５】
トリガ制御部１６０は、トリガ管理部１５０が受け付けた設定に基づいて、データ管理部１３０に格納された測定データのトリガ条件を判定するとともに、トリガデータがトリガ位置に配置された段階でデータ管理部１３０のリングバッファが更新されないように制御する。具体的には、測定を終了するように光パワー測定部１２０を制御する。あるいは、光パワー計測部１２０における測定は継続しても測定データをリングバッファに格納しないようにデータ管理部１３０を制御してもよい。
【００２６】
次に、トリガ制御部１６０の第１の動作例について図３のフローチャートを参照して説明する。なお、トリガ管理部１５０は、あらかじめ操作者からトリガ条件とトリガ位置の設定を受け付けているものとする。また、測定時間、測定回数等に基づいた測定終了条件が定められているものとする。
【００２７】
測定開始に先立ち、トリガ制御部１６０は、トリガ管理部１５０からトリガ条件を取得する（Ｓ１０１）。また、トリガ位置を取得する（Ｓ１０２）。取得したトリガ位置は、例えば、格納される測定データ全体における後端（最新データ）からの順番に変換する。
【００２８】
例えば、取得したトリガ位置が格納測定データ全体に対する比率で設定されている場合には、格納可能測定データ数に基づいて後端からの順番に変換する。取得したトリガ位置が文言で設定されている場合にも、格納可能測定データ数に基づいて後端からの順番に変換する。例えば、前半であれば、一例として後端から全体の３／４程度に相当する順番とすることができる。
【００２９】
測定を開始すると、測定データがデータ管理部１３０に格納される毎に（Ｓ１０３：Ｙｅｓ）、データ管理部１３０のリングバッファに格納されている測定データを参照し（Ｓ１０４）、トリガ位置にトリガ条件を満たすトリガデータが存在するかを判定する（Ｓ１０５）。トリガ位置は、後端からの順番に変換されているため、容易に参照することができる。
【００３０】
例えば、図４（ａ）に示すような位置にトリガ位置が設定されている場合において、新たに格納された測定データがトリガ条件を満たすトリガデータであったとしても、トリガ位置を満たさないため、トリガ位置にトリガ条件を満たすトリガデータは存在しないと判定する（Ｓ１０５：Ｎｏ）。そして、測定終了でなければ（Ｓ１０６：Ｎｏ）、次の測定データがデータ管理部１３０に格納されるのを待つ（Ｓ１０３）。
【００３１】
リングバッファ構造を採用しているため、トリガデータは、測定データが格納される毎にトリガ位置に近づくことになる。そして、図４（ｂ）に示すように、トリガデータがトリガ位置に達すると、リングバッファ参照において（Ｓ１０４）、トリガ位置にトリガ条件を満たすトリガデータが存在すると判定し（Ｓ１０５：Ｙｅｓ）、リングバッファの更新を停止する（Ｓ１０７）。すなわち、光パワー測定部１２０に対して測定の停止を指示する、あるいは、データ管理部１３０に対して測定データの格納停止を指示する。
【００３２】
データ管理部１３０のリングバッファの更新が行なわれなくなることにより、リングバッファには、トリガデータがトリガ位置に記録された測定データ群が格納された状態が保持される。すなわち、トリガ条件を満たす測定データと解析に必要な前後の測定データを、格納容量を増やさずとも取得できるようになる。
【００３３】
このリングバッファに格納された測定データ群を、例えば、通信部１４０を介して外部機器２００に出力することで、図５に示すように、時系列データが、トリガデータおよび前データと後データとが必要な状態で得られるため、測定データの時系列解析を適切に行なうことができるようになる。
【００３４】
次に、トリガ制御部１６０の第２の動作例について図６のフローチャートを参照して説明する。トリガ条件の取得（Ｓ２０１）、およびトリガ位置の取得（Ｓ２０２）は、第１の動作例と同様である。取得したトリガ位置は、格納される測定データ全体における後端（最新データ）からの順番に変換する。
【００３５】
測定を開始すると、測定データがデータ管理部１３０に格納される毎に（Ｓ１０３：Ｙｅｓ）、新たに格納した測定データがトリガ条件を満たすかを判定する（Ｓ２０４）。
【００３６】
新たに格納した測定データがトリガ条件を満たさない場合は（Ｓ２０４：Ｎｏ）、測定終了でなければ（Ｓ２０５：Ｎｏ）、次の測定データがデータ管理部１３０に格納されるのを待つ（Ｓ２０３）。
【００３７】
新たに格納した測定データがトリガ条件を満たす場合は（Ｓ２０４：Ｙｅｓ）、新たに格納した測定データがトリガ位置を満たしているかを判定する（Ｓ２０６）。これは、トリガ位置として後端が設定されている場合の手当である。トリガ位置を満たしている判定した場合は（Ｓ２０６：Ｙｅｓ）、リングバッファの更新を停止する（Ｓ２１０）。すなわち、光パワー測定部１２０に対して測定の停止を指示する、あるいは、データ管理部１３０に対して測定データの格納停止を指示する。
【００３８】
新たに格納した測定データがトリガ位置を満たさない場合（Ｓ２０４：Ｎｏ）、すなわち、トリガ位置が後端以外に設定されている場合は、測定データがデータ管理部１３０に格納される毎に（Ｓ２０７：Ｙｅｓ）、トリガデータの移動量をカウントする（Ｓ２０８）。ここで、測定データが格納される毎にトリガデータは１つずつ前端側に移動する。
【００３９】
そして、トリガデータがトリガ位置まで移動すると（Ｓ２０９：Ｙｅｓ）、リングバッファの更新を停止する（Ｓ２１０）。トリガ位置は、後端からの順番に変換されているため、容易にトリガ位置までに必要な移動量を把握することができる。
【００４０】
データ管理部１３０のリングバッファの更新が行なわれなくなることにより、リングバッファには、トリガデータがトリガ位置に記録された測定データ群が格納された状態が保持される。
【００４１】
次に、本実施形態の光パワーメータの変形例について説明する。上述の光パワーメータ１００では、被測定光として連続光を想定しているため、被測定光として所定の周波数ＭＦで変調したＣＨＯＰ光を用いると、光パワーのトリガ判定が正しく行なわれない可能性がある。
【００４２】
そこで、変形例に係る光パワーメータ１０１は、ＣＨＯＰ光に対応した構成とする。図７は、光パワーメータ１０１の機能構成を説明するブロック図である。上述の光パワーメータ１００と同じ機能ブロックについては同じ符号を付している。
【００４３】
本図に示すように、光パワーメータ１０１は、上述の構成に加え、光パワー測定部１２０とデータ管理部１３０との間にＦＦＴ演算部１７０を設けている。トリガ制御部１６０の動作は、上述の第１の動作例、第２の動作例のどちらでもよい。
【００４４】
ＦＦＴ演算部１７０では、図８（ａ）に示すように、変調周波数ＭＦのＣＨＯＰの光パワー測定結果に対して、所定のフレーム単位でフーリエ変換を行なう。そして、変調周波数ＭＦ成分を抽出し、図８（ｂ）に示すように、フレーム期間における平均光パワーを測定データとしてデータ管理部１３０に格納する。これにより、被測定光がＣＨＯＰ光であっても、トリガ制御部１６０は、適切にトリガ条件の判定を行なうことができる。
【符号の説明】
【００４５】
１００…光パワーメータ、１０１…光パワーメータ、１１０…受光部、１２０…光パワー測定部、１３０…データ管理部、１４０…通信部、１５０…トリガ管理部、１６０…トリガ制御部、１７０…ＦＦＴ演算部、２００…外部機器
【図１】
2019113436.tif 000003
【図２】
2019113436.tif 000004
【図３】
2019113436.tif 000005
【図４】
2019113436.tif 000006
【図５】
2019113436.tif 000007
【図６】
2019113436.tif 000008
【図７】
2019113436.tif 000009
【図８】
2019113436.tif 000010
【図９】
2019113436.tif 000011